(57)【特許請求の範囲】
【請求項１】
二つのトランジスタを有すると共に、局部発振信号と受信したテレビジョン信号とが入力される差動型の混合器と、前記混合器から出力される中間周波信号を増幅する中間周波増幅器と、前記中間周波増幅器の出力側に接続された可制御選択周波数減衰手段とを備え、前記二つのトランジスタのうち一方のトランジスタのベースに前記局部発振信号と前記テレビジョン信号とを入力すると共に、他方のトランジスタのベースを高周波的に接地し、前記他方のトランジスタのベースに固定のバイアス電圧を印加し、前記一方のトランジスタのベースに前記固定のバイアス電圧と同じバイアス電圧または前記固定のバイアス電圧と異なるバイアス電圧を選択的に印加するバイアス切替手段が接続され、前記バイアス切替手段は、妨害信号の発生の可能性がある特定チャンネルのテレビジョン信号を受信するときに前記一方のトランジスタのベースに前記固定のバイアス電圧と異なるバイアス電圧を印加し、かつ、前記可制御選択周波数減衰手段の減衰周波数を前記特定のチャンネルのテレビジョン信号を受信したときの局部発振信号の周波数に設定することを特徴とするテレビジョンチューナ。
【請求項２】
前記バイアス切替手段は、前記一方のトランジスタのベースと接地間に接続された抵抗とスイッチトランジスタの直列回路及び前記スイッチトランジスタのオンオフ制御手段を含み、前記オンオフ制御手段は、前記特定チャンネルのテレビジョン信号を受信するときに前記スイッチトランジスタをオンにし、それ以外のチャンネルのテレビジョン信号を受信するときに前記スイッチトランジスタをオフにするものであることを特徴とする請求項１に記載のテレビジョンチューナ。
【請求項３】
前記可制御選択周波数減衰手段は、中間周波伝送経路に直列接続されたインダクタンス素子と固定コンデンサの並列共振回路であって、その並列共振周波数が前記特定のチャンネルの局部発振信号周波数に設定され、前記並列共振回路は、前記コンデンサに直列接続されたスイッチダイオードを含み、前記スイッチダイオードは、前記特定のチャンネルのテレビジョン信号を受信したときにオンになり、それ以外のチャンネルのテレビジョン信号を受信したときにオフになる制御電圧が印加されることを特徴とする請求項１または２に記載のテレビジョンチューナ。
【請求項４】
前記バイアス切替手段は、前記スイッチトランジスタにＮＰＮトランジスタを用い、前記ＮＰＮトランジスタのコレクタを前記可制御選択周波数減衰手段のスイッチダイオードのカソードに接続し、前記ＮＰＮトランジスタがオンのときに前記スイッチダイオードをオンにする制御電圧を供給していることを特徴とする請求項３に記載のテレビジョンチューナ。
【発明の詳細な説明】
【０００１】
【発明の属する技術分野】
本発明は、混合器で発生する歪みを低減すると共に、局部発振信号の漏れを少なくしたテレビジョンチューナに関する。
【０００２】
【従来の技術】
従来のテレビジョンチューナは図２に示すように、混合器３１、局部発振器３２、中間周波増幅器３３を有し、混合器３１には各種の同調回路や高周波増幅器（いずれも図示せず）を経由して希望するテレビジョン信号が入力される。また、局部発振器３２から出力された局部発振信号も入力される。そして、混合器３１に入力されたテレビジョン信号は局部発振信号と混合され、中間周波信号に周波数変換されて混合器３１から出力される。中間周波信号は中間周波増幅器３３によって増幅される。
【０００３】
混合器３１は、通常、ベースに固定のバイアス電圧が印加された混合用トランジスタ（図示せず）を有し、そのベースにテレビジョン信号と局部発振信号とが入力される。そして、混合用トランジスタの非直線特性（二次歪み）によってテレビジョン信号が周波数変換される。
【０００４】
【発明が解決しようとする課題】
混合器は、本来、二次歪み特性を利用するものであるが、混合用トランジスタは二次歪み以外にも高次の歪みを有している。そのため、受信すべきテレビジョン信号のほかに、他の信号（テレビジョン信号とは限らない）が混合器に入力されると、混合器では必要とする中間周波信号以外にも複数の希望しない信号が発生し、これらの信号が中間周波信号の周波数帯域内に発生したときは妨害信号となる。
【０００５】
例えば、中国のテレビジョンシステムでは、チャンネル３の映像搬送波周波数が６５．７５ＭＨｚ（メガヘルツ）、局部発振周波数が１０３．７５ＭＨｚ、音声中間周波数が３１．５ＭＨｚ、映像中間周波数が３８．０ＭＨｚであるが、チャンネル３の受信時に、希望しない７３．７５ＭＨの信号が入力されると、混合器の三次歪みによって３５．７５ＭＨｚの希望しない信号が発生する。この信号は中間周波帯域内に発生するので妨害信号となる。上記は一例を示したものにすぎず、このような妨害信号の発生は混合器に入力される非希望信号の周波数の違いによって不特定のチャンネルの受信時に発生する。
【０００６】
そして、発生する妨害信号の大きさは、使用する混合用トランジスタの非直線特性と、混合用トランジスタに与えられた動作点によって決まるため、一旦発生すると混合用トランジスタの変更や動作点の変更をしない限り、妨害信号を無くしたり、そのレベル低減することは不可能であった。
【０００７】
そこで、本発明のテレビジョンチューナは、混合器で発生する妨害信号を低減すると共に、局部発振信号の漏れを少なくすることを目的とする。
【０００８】
【課題を解決するための手段】
上記の課題を解決するため、本発明のテレビジョンチューナは、二つのトランジスタを有すると共に、局部発振信号と受信したテレビジョン信号とが入力される差動型の混合器と、前記混合器から出力される中間周波信号を増幅する中間周波増幅器と、前記中間周波増幅器の出力側に接続された可制御選択周波数減衰手段とを備え、前記二つのトランジスタのうち一方のトランジスタのベースに前記局部発振信号と前記テレビジョン信号とを入力すると共に、他方のトランジスタのベースを高周波的に接地し、前記他方のトランジスタのベースに固定のバイアス電圧を印加し、前記一方のトランジスタのベースに前記固定のバイアス電圧と同じバイアス電圧または前記固定のバイアス電圧と異なるバイアス電圧を選択的に印加するバイアス切替手段が接続され、前記バイアス切替手段は、妨害信号の発生の可能性がある特定チャンネルのテレビジョン信号を受信するときに前記一方のトランジスタのベースに前記固定のバイアス電圧と異なるバイアス電圧を印加し、かつ、前記可制御選択周波数減衰手段の減衰周波数を前記特定のチャンネルのテレビジョン信号を受信したときの局部発振信号の周波数に設定するものである。
【０００９】
また、前記バイアス切替手段は、前記一方のトランジスタのベースと接地間に接続された抵抗とスイッチトランジスタの直列回路及び前記スイッチトランジスタのオンオフ制御手段を含み、前記オンオフ制御手段は、前記特定チャンネルのテレビジョン信号を受信するときに前記スイッチトランジスタをオンにし、それ以外のチャンネルのテレビジョン信号を受信するときに前記スイッチトランジスタをオフにするものである。
【００１０】
また、前記可制御選択周波数減衰手段は、中間周波伝送経路に直列接続されたインダクタンス素子と固定コンデンサの並列共振回路であって、その並列共振周波数が前記特定のチャンネルの局部発振信号周波数に設定され、前記並列共振回路は、前記コンデンサに直列接続されたスイッチダイオードを含み、前記スイッチダイオードは、前記特定のチャンネルのテレビジョン信号を受信したときにオンになり、それ以外のチャンネルのテレビジョン信号を受信したときにオフになる制御電圧が印加される。
【００１１】
また、前記バイアス切替手段は、前記スイッチトランジスタにＮＰＮトランジスタを用い、前記ＮＰＮトランジスタのコレクタを前記可制御選択周波数減衰手段のスイッチダイオードのカソードに接続し、前記ＮＰＮトランジスタがオンのときに前記スイッチダイオードをオンにする制御電圧を供給している。
【００１２】
【発明の実施の形態】
以下、図１を用いて本発明のテレビジョンチューナを説明すると、図示しないアンテナで受信されたテレビジョン信号は、同調回路や高周波増幅器（いずれも図示せず）を経由し、希望するテレビジョン信号が混合器１に入力される。混合器１には局部発振器２から出力された局部発振信号も入力される。
【００１３】
混合器１は、二つのトランジスタ１ａ、１ｂを有し、差動型の混合器として構成され、トランジスタ１ａのベースにはバイアス抵抗１ｃ、１ｄによってバイアス電圧が与えられ、トランジスタ１ｂのベースにはバイアス抵抗１ｅ、１ｆによってバイアス電圧が与えられる。各ベースに与えられるバイアス電圧は互いに同じである。そして、各エミッタ同士が抵抗１ｇを介して接続される。また、各エミッタには定電流源が接続される。
【００１４】
そして、一方のトランジスタ１ａのベースは、バイアス切替手段を構成している抵抗３とそれに直列接続されたＮＰＮトランジスタ４を通して接地接続され、ＮＰＮトランジスタ４のベースにオンオフ制御手段、すなわち、切替スイッチ５の切替によって外部電源６の電圧と接地電圧とをＮＰＮトランジスタ４のベースに選択的に印加する手段が接続される。この場合、抵抗３の抵抗値は変えることができる方が望ましい。
また、一方及び他方のトランジスタ１ａ、１ｂのコレクタにはそれぞれ負荷抵抗１ｈ、１ｉが接続される。
【００１５】
受信を希望するテレビジョン信号と局部発振信号とは、一方のトランジスタ１ａのベースに入力され、他方のトランジスタ１ｂのベースは直流カットコンデンサ１ｊによって高周波的に接地される。そして、ＮＰＮトランジスタ１ａ、１ｂのコレクタから互いに平衡な中間周波信号が出力される。従って、混合器１は、不平衡入力、平衡出力の混合器として動作する。
【００１６】
混合器１から出力された中間周波信号は中間周波増幅器７によって増幅される。中間周波増幅器７は主増幅器７ａと緩衝増幅器となるエミッタフォロワトランジスタ７ｂとを有し、トランジスタ７ｂのエミッタは抵抗７ｃによって直流的に接地される。
【００１７】
トランジスタ７ｂのエミッタには可制御選択周波数減衰手段として機能するトラップ回路８が接続され、中間周波信号はトラップ回路８を介して出力端９に出力される。
トラップ回路８は、トランジスタ７ｂのエミッタと出力端９との間に接続されたインダクタンス素子８ａと、トランジスタ７ｂのエミッタにアノードが接続されたスイッチダイオード８ｂと、スイッチダイオード８ｂのカソードと出力端９との間に接続されたコンデンサ８ｃとによって構成される。そして、スイッチダイオード８ｂのカソードが抵抗（記号なし）を通してＮＰＮトランジスタ４のコレクタに接続される。
【００１８】
以上の構成において、通常は、ＮＰＮトランジスタ４のベースには外部バイアス電源６が接続されずオフとなり、トランジスタ１ａ、１ｂの各ベースには同一のバイアス電圧が印加される。従って、トランジスタ１ａのコレクタとエミッタとの間の電圧とトランジスタ１ｂのコレクタとエミッタとの間の電圧とは互いに等しくなっている。また、互いのコレクタ電流は定電流源によって等しい。
従って、トランジスタ１ａの直流的な動作点とトランジスタ１ｂの直流的な動作点とは互いに等しくなり、完全な平衡動作が可能となる。そして、トランジスタ１ａのベースに入力された希望のテレビジョン信号が局部発振信号と混合されて中間周波信号に周波数変換される。
【００１９】
このとき、トランジスタ１ａと１ｂとが平衡動作することから、入力されたテレビジョン信号及び局部発振信号は位相キャンセルされることによって混合器１からはそれらの二次高調波（正確には二つのトランジスタ１ａ、１ｂのコレクタ間に現れる偶数次高調波）が出力されない。よって次段以降の回路ではこの二次高調波によって妨害は受けない。また、三次以降の高調波のレベルは低いのでチューナから出力されも問題にはならない。また、スイッチダイオード８ｂはオフとなるので中間周波信号はインダクタンス素子８ａを通して出力される。
【００２０】
ところで、混合器１には受信すべきチャンネルのテレビジョン信号（希望のテレビジョン信号）の他に非希望のテレビジョン信号も少なからず入力される場合がある。このような場合、混合器１においては希望のテレビジョン信号と非希望のテレビジョン信号と受信チャンネルにおける局部発振信号が入力される。そして、トランジスタ１ａ、１ｂの三次以降の歪み特性によって、これら三つの信号による新たな信号が発生する場合がある。そして、新たな信号が中間周波数帯域内に発生すればこれが妨害となる。
【００２１】
一方、一般にはトランジスタの非直線特性による歪みは、トランジスタの直流的な動作点の違いによって変わる。即ち、コレクタ電流やコレクタとエミッタとの間の電圧が変わると歪みも変わる。
【００２２】
そこで、上記の新たな信号（妨害信号という）が発生したときには、切替スイッチ５が切替られ、ＮＰＮトランジスタ４のベースに外部電源６の電圧を印加してこれをオンにする。このとき、スイッチダイオード８ｂも同時にオンとなる。ＮＰＮトランジスタ４がオンとなると、一方のトランジスタ１ａのベースは抵抗３を介して接地されるので、そのベースバイアス電圧が低下し、一方のトランジスタ１ａのコレクタ電流と他方のトランジスタ１ｂのコレクタ電流との増減方向が逆になって互いに異なる値となる。また、これらのコレクタ電流の値が異なることによってそれぞれのコレクタとエミッタ間の電圧の増減方向も逆となってその値が異なる。即ち、直流的な動作点が異なる。
【００２３】
これらの電流と電圧との変化量は抵抗３によって調整されるので、問題となる妨害信号のレベルが極小となる動作点となるようにトランジスタ１ａのバイアス電圧を設定する。
【００２４】
このようにして混合器１から出力される妨害信号のレベルを低減できるが、混合器１自体の平衡状態は崩れる。この結果、入力された局部発振信号が完全に位相キャンセルされずに混合器１から出力される。そこで、トラップ回路８のインダクタンス素子８ａとコンデンサ８ｃとからなる並列共振回路の並列共振周波数を、このとき受信しているテレビジョンチャンネルの局部発振周波数に一致するように構成しておけば、中間周波増幅器７を通して漏洩してきた局部発振信号をこのトラップ回路８が減衰するので、出力端９に局部発振信号が現れることがない。
【００２５】
なお、コンデンサ８ｃをバラクタダイオードに置き換えて、バラクタダイオードの両端に印加する電圧変えられるようにすれば、妨害信号が発生する他のチャンネルに対しても漏洩した局部発振信号を減衰出来る。
【００２６】
【発明の効果】
以上のように、本発明のテレビジョンチューナは、二つのトランジスタを有する差動型の混合器と、中間周波信号を増幅する中間周波増幅器と、中間周波増幅器の出力側に接続された可制御選択周波数減衰手段とを備え、二つのトランジスタのうち一方のトランジスタのベースに局部発振信号とテレビジョン信号とを入力すると共に、他方のトランジスタのベースを高周波的に接地し、他方のトランジスタのベースに固定のバイアス電圧を印加し、一方のトランジスタのベースにその固定のバイアス電圧と同じバイアス電圧またはその固定のバイアス電圧と異なるバイアス電圧を選択的に印加するバイアス切替手段が接続され、バイアス切替手段は、妨害信号の発生の可能性がある特定チャンネルのテレビジョン信号を受信するときに一方のトランジスタのベースに固定のバイアス電圧と異なるバイアス電圧を印加し、かつ、可制御選択周波数減衰手段の減衰周波数を特定のチャンネルのテレビジョン信号を受信したときの局部発振信号の周波数に設定するようにしたので、混合器の二つのトランジスタの動作点を変更することができ、混合器で発生する妨害信号のレベルを下げ、混合器から出力された局部発振信号を減衰させることが出来る。
【００２７】
また、バイアス切替手段は、一方のトランジスタのベースと接地間に接続された抵抗とスイッチトランジスタの直列回路及びスイッチトランジスタのオンオフ制御手段を含み、オンオフ制御手段は、特定チャンネルのテレビジョン信号を受信するときにスイッチトランジスタをオンにし、それ以外のチャンネルのテレビジョン信号を受信するときにスイッチトランジスタをオフにするようにしたので、一方のトランジスタのベースバイアス電圧を変えることにより二つのトランジスタの動作点を変えることが出来る。
【００２８】
また、可制御選択周波数減衰手段は、中間周波伝送経路に直列接続されたインダクタンス素子と固定コンデンサの並列共振回路であって、その並列共振周波数が特定のチャンネルの局部発振信号周波数に設定され、並列共振回路は、コンデンサに直列接続されたスイッチダイオードを含み、スイッチダイオードは、特定のチャンネルのテレビジョン信号を受信したときにオンになり、それ以外のチャンネルのテレビジョン信号を受信したときにオフになる制御電圧が印加されるので、特定のチャンネルのテレビジョン信号の受信時に混合器から漏洩した局部発振信号を減衰させることが出来る。
【００２９】
また、バイアス切替手段は、スイッチトランジスタにＮＰＮトランジスタを用い、ＮＰＮトランジスタのコレクタを可制御選択周波数減衰手段のスイッチダイオードのカソードに接続し、ＮＰＮトランジスタがオンのときにスイッチダイオードをオンにする制御電圧を供給しているので、混合器の二つのトランジスタの動作点の変更と可制御選択周波数減衰手段における漏洩した局部発振信号の減衰とを連動させることが出来る。
【図面の簡単な説明】
【図１】本発明のテレビジョンチューナの回路図である。
【図２】従来のテレビジョンチューナの回路図である。
【符号の説明】
１  混合器
１ａ、１ｂ  トランジスタ
１ｃ、１ｄ、１ｅ、１ｆ  バイアス抵抗
１ｇ  抵抗
１ｈ、１ｉ  負荷抵抗
１ｊ  直流カットコンデンサ
２  局部発振器
３  抵抗
４  ＮＰＮトランジスタ（スイッチ手段）
５  切替スイッチ
６  外部電源
７  中間周波増幅器
７ａ  主増幅器
７ｂ  緩衝増幅器
８  信号減衰手段
８ａ  インダクタンス素子
８ｂ  スイッチダイオード
８ｃ  コンデンサ
９  出力端
【図１】
0003723723.tif 000002
【図２】
0003723723.tif 000003